【手続補正書】
【提出日】平成27年1月30日(2015.1.30)
【手続補正１】
【補正対象書類名】明細書
【補正対象項目名】０００１
【補正方法】変更
【補正の内容】
【０００１】
本発明は、前面に開閉回動可能に取り付けられた前面枠を備えた遊技機に関する。
【手続補正２】
【補正対象書類名】明細書
【補正対象項目名】０００２
【補正方法】変更
【補正の内容】
【０００２】
従来、遊技機を遊技店の遊技機島に固定するための外枠と、遊技盤を有して外枠の前面側に、ヒンジにより開閉可能に取り付けられた内枠と、遊技盤の前面側を覆うようにして内枠の前面側に開閉可能に取り付けられたガラス枠とを備えた遊技機が知られている（例えば、特許文献１）。
このような遊技機は、遊技機の前面に突出した構造物として、球貯留皿（上皿）や発射ハンドル（打球発射装置の操作部）を有している。
【手続補正３】
【補正対象書類名】明細書
【補正対象項目名】０００４
【補正方法】変更
【補正の内容】
【０００４】
例えば、球貯留皿は遊技機の中央やや下方の前面に、左右方向に亘って突出しており、遊技者が離着席の際に球貯留皿の上面に手を突いて、離着席の補助をすることは可能であるが、球貯留皿は遊技者が把持できるような構造とはなっていないため、遊技者がよろめいた際にはつかむことができず、体勢を維持できない。また、発射ハンドルは把持可能ではあるが、回動させて遊技球の発射勢を調整するものであるため、遊技者が着席した姿勢で回動させ易いような位置、形状および把持方法になっている。そのため、発射ハンドルは遊技機の下端近くに配設されており、立っている状態では把持しにくい位置にあるとともに、略球状で手すりとしては把持しにくい形状なので、実際のところ、離着席の際の補助としては用をなさないものとなっている。
このように、遊技者が遊技機の前に着席あるいは離席する際に、遊技機はそれを補助する構造を有しておらず、高齢者や足の不自由な遊技者にとって、着席あるいは離席は容易な行為とはいえないものであった。
【手続補正４】
【補正対象書類名】明細書
【補正対象項目名】０００５
【補正方法】変更
【補正の内容】
【０００５】
そこで、本発明は、高齢者や足の不自由な遊技者が遊技機の前に着席あるいは離席する際に補助可能な機能を有する遊技機を提供することを目的とする。
【手続補正５】
【補正対象書類名】明細書
【補正対象項目名】０００６
【補正方法】変更
【補正の内容】
【０００６】
以上の課題を解決するため、請求項１に記載の発明は、
前面に開閉回動可能に取り付けられた前面枠を備え、遊技店に設置される遊技機において、
前記前面枠の前面に、遊技者が離着席する際に把持可能な把持部を備え、
前記把持部は、
前記前面枠の左右方向の縁部に前方に突出して設けられ、
その背面と前記前面枠との間に空間部を有する部位を少なくとも備えることを特徴とする。
【手続補正６】
【補正対象書類名】明細書
【補正対象項目名】０００７
【補正方法】変更
【補正の内容】
【０００７】
請求項１に記載の発明によれば、把持部によって、遊技者、特に高齢者が遊技機の前に着席あるいは離席する際に補助することができる。また、把持部によって、上皿やハンドル等の破損を防止することができる。
【手続補正７】
【補正対象書類名】明細書
【補正対象項目名】０００８
【補正方法】変更
【補正の内容】
【０００８】
請求項２に記載の発明は、請求項１に記載の遊技機において、
前記把持部は、上下方向に延在して設けられるとともに、伸縮可能な構造を有することを特徴とする。
【手続補正８】
【補正対象書類名】明細書
【補正対象項目名】０００９
【補正方法】変更
【補正の内容】
【０００９】
請求項２に記載の発明によれば、把持部は伸縮可能な構造を有するので、例えば遊技者が把持部を把持する状態において収縮させることで、コンパクトに使用することができる。
【手続補正９】
【補正対象書類名】明細書
【補正対象項目名】００１０
【補正方法】変更
【補正の内容】
【００１０】
請求項３に記載の発明は、請求項１または２に記載の遊技機において、
前記把持部は、その背面と前記前面枠との間に前記空間部が形成される把持本体部と、当該把持本体部の下端を前記前面枠の前面に接続する把持連結部と、で構成され、
前記把持連結部の下端は、前記前面枠の下端と略同位置であることを特徴とする。
【手続補正１０】
【補正対象書類名】明細書
【補正対象項目名】００１１
【補正方法】変更
【補正の内容】
【００１１】
請求項３に記載の発明によれば、前面枠を自立させることができ、入れ替え作業をより効率よく行うことができる。
【手続補正１１】
【補正対象書類名】明細書
【補正対象項目名】００１２
【補正方法】変更
【補正の内容】
【００１２】
請求項４に記載の発明は、
前面に開閉回動可能に取り付けられた前面枠を備え、遊技店に設置される遊技機において、
前記前面枠の前面に、遊技者が離着席する際に把持可能な把持部を備え、
前記把持部は、
前記前面枠の上部に前方に突出して設けられ、
その背面と前記前面枠との間に空間部を有する部位を少なくとも備えることを特徴とする。
【手続補正１２】
【補正対象書類名】明細書
【補正対象項目名】００１３
【補正方法】変更
【補正の内容】
【００１３】
請求項４に記載の発明によれば、把持部によって、遊技者、特に高齢者が遊技機の前に着席あるいは離席する際に補助することができる。また、把持部を、前面枠を持ち運んだり遊技機に取り付けたりする際の持ち手として使用することができる。
【手続補正１３】
【補正対象書類名】明細書
【補正対象項目名】００１４
【補正方法】変更
【補正の内容】
【００１４】
請求項５に記載の発明は、請求項１から４の何れか一項に記載の遊技機において、
発射装置によって遊技球を発射するために遊技者が回動操作する操作部と、遊技球を貯留するとともに当該遊技球を前記発射装置に供給する球貯留皿と、を前面に備え、
前記把持部は、前記操作部および前記球貯留皿よりも上方に配置されていることを特徴とする。
【手続補正１４】
【補正対象書類名】明細書
【補正対象項目名】００１５
【補正方法】変更
【補正の内容】
【００１５】
請求項５に記載の発明によれば、把持部によって、遊技者、特に高齢者が遊技機の前に着席あるいは離席する際に補助することができる。
【手続補正１５】
【補正対象書類名】明細書
【補正対象項目名】００１６
【補正方法】変更
【補正の内容】
【００１６】
本発明によれば、遊技機の前面に把持部を備えたので、把持部によって、遊技者、特に高齢者が遊技機の前に着席あるいは離席する際に補助することができる。
【手続補正１６】
【補正対象書類名】明細書
【補正対象項目名】００２１
【補正方法】変更
【補正の内容】
【００２１】
また、内枠１２の下部には、図示しない打球発射装置に遊技球を供給する上皿２１（球貯留皿）、遊技機１０の裏面側に設けられている球払出装置から払い出された遊技球が流出する上皿球出口２２、上皿２１が一杯になった状態で払い出された遊技球を貯留する下皿２３、打球発射装置の操作部２４等が設けられている。さらに、上皿２１の上縁部には、遊技者からの操作入力を受け付けるための操作スイッチを内蔵した演出ボタン２５が設けられている。さらに、内枠１２下部右側には、内枠１２を開放したり施錠したりするための鍵を挿入するための鍵穴２６が設けられている。
【手続補正１７】
【補正対象書類名】明細書
【補正対象項目名】０３０９
【補正方法】変更
【補正の内容】
【０３０９】
＜第４実施形態の変形例＞
例えば図５５に示すように、前面枠（ガラス枠１５）の前面の左部および右部のそれぞれに、遊技者が離着席する際に把持する把持部（手すり）８６０を備えるよう構成することも可能である。
本実施形態の場合、把持部８６０は、当該把持部８６０をガラス枠１５に取り付けるための把持取付部８６１と、遊技者が主に把持する第一把持本体部８６２（把持本体部）および第二把持本体部８６３（把持連結部）と、からなる。
【手続補正１８】
【補正対象書類名】特許請求の範囲
【補正対象項目名】全文
【補正方法】変更
【補正の内容】
【特許請求の範囲】
【請求項１】
前面に開閉回動可能に取り付けられた前面枠を備え、遊技店に設置される遊技機において、
前記前面枠の前面に、遊技者が離着席する際に把持可能な把持部を備え、
前記把持部は、
前記前面枠の左右方向の縁部に前方に突出して設けられ、
その背面と前記前面枠との間に空間部を有する部位を少なくとも備えることを特徴とする遊技機。
【請求項２】
前記把持部は、上下方向に延在して設けられるとともに、伸縮可能な構造を有することを特徴とする請求項１に記載の遊技機。
【請求項３】
前記把持部は、その背面と前記前面枠との間に空間部が形成される把持本体部と、当該把持本体部の下端を前記前面枠の前面に接続する把持連結部と、で構成され、
前記把持連結部の下端は、前記前面枠の下端と略同位置であることを特徴とする請求項１または２に記載の遊技機。
【請求項４】
前面に開閉回動可能に取り付けられた前面枠を備え、遊技店に設置される遊技機において、
前記前面枠の前面に、遊技者が離着席する際に把持可能な把持部を備え、
前記把持部は、
前記前面枠の上部に前方に突出して設けられ、
その背面と前記前面枠との間に空間部を有する部位を少なくとも備えることを特徴とする遊技機。
【請求項５】
発射装置によって遊技球を発射するために遊技者が回動操作する操作部と、遊技球を貯留するとともに当該遊技球を前記発射装置に供給する球貯留皿と、を前面に備え、
前記把持部は、前記操作部および前記球貯留皿よりも上方に配置されていることを特徴とする請求項１から４の何れか一項に記載の遊技機。